(57)【要約】【課題】遠隔操作システムにおいて、伝送ケーブルを介して接続された映像表示装置に映像を表示させる携帯端末を操作する際に、操作端末を用いて携帯端末を容易に遠隔操作できるようにする。【解決手段】遠隔操作システム１０は、ＴＶ受像機１と、スマートフォン２と、タッチパッド３とを含む。ユーザが、タッチパッド３の表示部３１の所望の位置をタッチ操作すると、タッチパッド３は、無線通信部を用いて、タッチ位置の座標情報をスマートフォン２に送信する。そして、スマートフォン２は、受信した座標情報に対応するスマートフォン２のタッチパネル２１ａ上の位置をユーザがタッチ操作したと判定し、判定された位置（に対応するアイコン画像）に対応する処理を実行して、実行結果の映像を、ＭＨＬケーブル５０を介して、ＴＶ受像機１に送信する。そして、ＴＶ受像機１は、スマートフォン２から受信した映像をディスプレイ１４に表示する。【選択図】図１
2013153346.tif 000002
【特許請求の範囲】
【請求項１】
ユーザによるタッチ操作を検知する第１タッチパネルが配設された第１表示手段を有する携帯端末と、前記携帯端末から伝送ケーブルを介して送信された映像を表示する映像表示装置と、前記携帯端末と無線通信を行う操作端末とを備える遠隔操作システムにおいて、
前記操作端末は、
ユーザによるタッチ操作を検知する第２タッチパネルと、
ユーザによる前記第２タッチパネルのタッチ位置の座標情報を前記携帯端末に無線信号で送信する無線送信手段とを有し、
前記携帯端末は、
前記操作端末の前記無線送信手段から送信された前記座標情報に基づき、該座標情報に対応する第１タッチパネル上の位置をユーザがタッチ操作したと判定する操作判定手段と、
前記操作判定手段によってユーザがタッチ操作したと判定された第１タッチパネル上の位置に対応した操作を実行する操作実行手段と、
前記操作実行手段による操作の実行結果の画面を、前記伝送ケーブルを介して前記映像表示装置に送信する第１映像送信手段とをさらに有することを特徴とする遠隔操作システム。
【請求項２】
前記携帯端末は、前記第１表示手段に表示する映像を、前記操作端末に無線信号で送信する第２映像送信手段をさらに有し、
前記操作端末は、
前記第２タッチパネルが配設された第２表示手段と、
前記携帯端末の前記第２映像送信手段から送信された映像を、前記第２表示手段に表示する映像出力手段とをさらに有することを特徴とする請求項１に記載の遠隔操作システム。
【請求項３】
ユーザによるタッチ操作を検知するタッチパネルと、
ユーザによる前記タッチパネルのタッチ位置の座標情報を携帯端末に無線信号で送信する無線送信手段とを備えることを特徴とする操作端末。
【請求項４】
前記タッチパネルが配設された表示手段と、
前記携帯端末から送信された映像を、前記表示手段に表示する映像出力手段とをさらに備えることを特徴とする請求項３に記載の操作端末。
【発明の詳細な説明】
【技術分野】
【０００１】
本発明は、携帯端末と、この携帯端末から送信された映像を表示する映像表示装置と、この携帯端末を操作する操作端末とを備えた遠隔操作システムに関する。
【背景技術】
【０００２】
近年、スマートフォンとテレビジョン受像機（以下、ＴＶ受像機という）とを、ＭＨＬ（Ｍｏｂｉｌｅ  Ｈｉｇｈ−ｄｅｆｉｎｉｔｉｏｎ  Ｌｉｎｋ）ケーブルを介して接続可能なネットワークシステムが知られている。このネットワークシステムでは、スマートフォンは、自機が表示する映像を、ＭＨＬケーブルを介して、ＴＶ受像機に送信することにより、自機が表示している映像を、ＴＶ受像機のディスプレイに表示することができる機能を有する。この機能により、ユーザは、スマートフォンの映像を、ＴＶ受像機のディスプレイで視聴することができる。
【０００３】
ところで、一般的に、ＭＨＬケーブルなどの伝送ケーブルの長さは短い。そのため、上記ネットワークシステムでは、ユーザがＴＶ受像機のディスプレイで映像を見ながら、スマートフォンを直接操作して各種指示を行う場合、伝送ケーブルの長さによって、ユーザの視聴位置が制限されるという問題がある。
【０００４】
上記問題に対して、特許文献１には、携帯電話機が、テレビの赤外線送信リモコン装置との間で低速赤外線通信を行う赤外線通信部を有し、携帯電話機をリモコン装置により遠隔操作して、携帯電話機に格納されている画像データを高速赤外線通信によりテレビに送信する赤外線通信システムが開示されている。この赤外線通信システムによれば、低速赤外線通信を行うリモコン装置を用いて携帯電話機を操作できるため、ユーザの視聴位置が制限されることがない。しかしながら、リモコン装置と、携帯電話機とは操作ボタンの配置等が大きく異なるため、ユーザによって、リモコン装置を用いて携帯電話機を操作することは難しく、操作性が悪いという問題がある。
【０００５】
また、特許文献２には、携帯電話を載置可能であり、載置された該携帯電話と通信し、スキャナリモコンからのデータを受信することにより、該スキャナリモコンを該携帯電話の入力手段として機能させ、ＡＶ機器と通信し、該ＡＶ機器を制御することにより、該ＡＶ機器を該携帯電話の出力手段として機能させる携帯電話用クレードル及び、この携帯電話用クレードルを用いた緊急情報通知システムが開示されている。しかしながら、この携帯電話用クレードル及び緊急情報通知システムでは、ユーザが携帯電話を容易に遠隔操作することができないため、操作性が悪いという問題を解決できない。
【０００６】
また、非特許文献１には、ユーザによるボタン操作に応じて、携帯電話機にＢｌｕｅｔｏｏｔｈ規格に従った無線信号を送信することにより携帯電話機を操作する電子機器が開示されている。しかしながら、この電子機器では、携帯電話機と操作ボタンの配置等が大きく異なるため、操作性が悪いという問題を解決できない。
【先行技術文献】
【特許文献】
【０００７】
【特許文献１】特開２００９−１３０８５７号公報
【特許文献２】特許第４６９１７４１号公報
【非特許文献】
【０００８】
【非特許文献１】ソニーエリクソン株式会社、LiveView(TM) MN800、主な特長、［online］、ソニーエリクソン株式会社、［平成23年11月17日検索］、インターネット <URL：http://www.sonyericsson.co.jp/product/accessories/liveview/>
【発明の概要】
【発明が解決しようとする課題】
【０００９】
本発明は、上述した問題点を解決するためになされたものであり、伝送ケーブルを介して接続された映像表示装置に映像を表示させる携帯端末を操作する際に、ユーザが、操作端末を用いて携帯端末を容易に操作することが可能な遠隔操作システムを提供することを目的とする。
【課題を解決するための手段】
【００１０】
上記目的を達成するために請求項１の発明は、ユーザによるタッチ操作を検知する第１タッチパネルが配設された第１表示手段を有する携帯端末と、前記携帯端末から伝送ケーブルを介して送信された映像を表示する映像表示装置と、前記携帯端末と無線通信を行う操作端末とを備える遠隔操作システムにおいて、前記操作端末は、ユーザによるタッチ操作を検知する第２タッチパネルと、ユーザによる前記第２タッチパネルのタッチ位置の座標情報を前記携帯端末に無線信号で送信する無線送信手段とを有し、前記携帯端末は、前記操作端末の前記無線送信手段から送信された前記座標情報に基づき、該座標情報に対応する第１タッチパネル上の位置をユーザがタッチ操作したと判定する操作判定手段と、前記操作判定手段によってユーザがタッチ操作したと判定された第１タッチパネル上の位置に対応した操作を実行する操作実行手段と、前記操作実行手段による操作の実行結果の画面を、前記伝送ケーブルを介して前記映像表示装置に送信する第１映像送信手段とをさらに有するものである。
【００１１】
また、請求項２の発明は、請求項１に記載の遠隔操作システムにおいて、前記携帯端末は、前記第１表示手段に表示する映像を、前記操作端末に無線信号で送信する第２映像送信手段をさらに有し、前記操作端末は、前記第２タッチパネルが配設された第２表示手段と、前記携帯端末の前記第２映像送信手段から送信された映像を、前記第２表示手段に表示する映像出力手段とをさらに有するものである。
【００１２】
また、請求項３の発明は、ユーザによるタッチ操作を検知するタッチパネルと、ユーザによる前記タッチパネルのタッチ位置の座標情報を携帯端末に無線信号で送信する無線送信手段とを備える操作端末である。
【００１３】
また、請求項４の発明は、請求項３に記載の操作端末において、前記タッチパネルが配設された表示手段と、前記携帯端末から送信された映像を、前記表示手段に表示する映像出力手段とをさらに備えるものである。
【発明の効果】
【００１４】
請求項１及び２の発明によれば、ユーザによって操作端末の第２タッチパネルがタッチ操作されると、操作端末が、ユーザによるタッチ位置の座標情報を携帯端末に無線信号で送信する。携帯端末は、操作端末から送信された座標情報に基づき、ユーザがタッチ操作したと判定された第１タッチパネル上の位置に対応した操作を実行し、実行結果の画面を、伝送ケーブルを介して映像表示装置に送信する。そのため、ユーザは、携帯端末の第１タッチパネル上の所望の位置をタッチ操作したい場合に、該所望の位置に対応する操作端末の第２タッチパネル上の位置をタッチ操作することで、携帯端末の第１タッチパネル上の所望の位置を直接タッチ操作した場合と同様の操作を携帯端末に実行させることができる。従って、ユーザは、映像表示装置を視聴する位置が携帯端末から離れている場合でも、携帯端末の映像が表示された映像表示装置を見ながら、操作端末を用いて、携帯端末を容易に遠隔操作することができる。
【００１５】
請求項３及び４に記載の操作端末を、請求項１及び２に記載の遠隔操作システムにおける操作端末として用いることにより、上記と同様の効果を得ることができる。
【図面の簡単な説明】
【００１６】
【図１】本発明の一実施形態に係るＴＶ受像機と、スマートフォンと、タッチパッドとを含む遠隔操作システムの概略図。
【図２】上記ＴＶ受像機の内部構成を示すブロック図。
【図３】上記スマートフォンの内部構成を示すブロック図。
【図４】上記タッチパッドの内部構成を示すブロック図。
【図５】（ａ）は、上記スマートフォンの表示部に表示される映像を示し、（ｂ）は，上記ＴＶ受像機のディスプレイに表示される映像を示す説明図。
【図６】上記遠隔操作システムにおけるタッチパッドの操作時の処理の手順を示すフローチャート。
【図７】（ａ）は、上記スマートフォンの表示部を示し、（ｂ）は，上記タッチパッドの表示部を示す説明図。
【図８】（ａ）は、上記スマートフォンの表示部を示し、（ｂ）は，上記タッチパッドの表示部を示す説明図。
【発明を実施するための形態】
【００１７】
以下、本発明の一実施形態に係る遠隔操作システムについて、図１乃至図４を参照して説明する。図１は、テレビジョン受像機１（以下、ＴＶ受像機という；請求項における映像表示装置）と、スマートフォン２（携帯端末）と、タッチパッド３（操作端末）とを含む遠隔操作システム１００の概略を示す。図２は、ＴＶ受像機１の電気的ブロック構成を示し、図３は、スマートフォン２の電気的ブロック構成を示し、図３は、タッチパッド３の電気的ブロック構成を示す。
【００１８】
ＴＶ受像機１と、スマートフォン２とは、ＭＨＬ（Ｍｏｂｉｌｅ  Ｈｉｇｈ−ｄｅｆｉｎｉｔｉｏｎ  Ｌｉｎｋ）に対応した機器であり、ＭＨＬに対応した伝送ケーブル５０（以下、ＭＨＬケーブルという）を介して相互に接続されている。ＭＨＬは、映像信号や音声信号の伝送を行うデータラインと、制御コマンドの伝送を行うＣＢＵＳラインと、機器を充電するための電源ライン等を有する。
【００１９】
スマートフォン２は、タッチパネル２１ａ（第１タッチパネル）を有する表示部２１（第１表示手段）に表示する映像の基になる映像信号を、ＭＨＬケーブル５０を介して、ＴＶ受像機１に送信する。ＴＶ受像機１は、スマートフォン２から受信した映像信号に基づく映像を、ディスプレイ１４に表示する。スマートフォン２と、タッチパッド３とは、Ｂｌｕｅｔｏｏｔｈに対応した機器であり、Ｂｌｕｅｔｏｏｔｈを用いた無線信号を互いに送受信する。
【００２０】
ＴＶ受像機１は、図２に示すように、アンテナ１１に接続され、デジタル放送信号を受信するチューナ部１２と、デコーダ部１３と、映像を表示するディスプレイ１４と、音声を出力するスピーカ１５と、操作ボタン１６と、ＭＨＬインタフェース１７と、メインマイコン１０とを備える。
【００２１】
チューナ部１２は、アンテナ１１を介して、放送局から配信される各チャンネルのデジタル放送信号を受信する。デコーダ部１３は、チューナ部１２によって受信されたデジタル放送信号に対して復調処理や誤り訂正処理等を行い、多重化された信号から必要なＴＳ（トランスポートストリーム）パケットを分離するＴＳ変換回路（図示せず）、分離した各ＴＳパケットに対して復号化処理を行う映像デコード回路（図示せず）、音声デコード回路（図示せず）、及びデータデコード回路（図示せず）等から構成される。
【００２２】
映像デコード回路は、映像信号を含むＴＳパケットに対して復号化処理を行い、映像信号を抽出し、抽出した映像信号をメインマイコン１０に出力する。音声デコード回路は、音声信号を含むＴＳパケットに対して復号化処理を行い、音声信号を抽出し、抽出した音声信号をメインマイコン１０に出力する。
【００２３】
データデコード回路は、ＳＩ（Ｓｅｒｖｉｃｅ  Ｉｎｆｏｒｍａｔｉｏｎ）データを含むＴＳパケットに対して復号化処理を行い、ＳＩデータを抽出し、抽出したＳＩデータをメインマイコン１０に出力する。
【００２４】
ディスプレイ１４は、チューナ部１２によって受信されたＴＶ番組の映像や、スマートフォン２から受信した映像信号に基づく映像を表示する。スピーカ１５は、チューナ部１２によって受信されたＴＶ番組の音声を出力する。操作ボタン１６は、ユーザによって操作され、ＴＶ受像機１に各種操作指示を行う。
【００２５】
ＭＨＬインタフェース１７は、ＭＨＬケーブル５０が接続され、ＭＨＬケーブル５０を介して、スマートフォン２から送信された映像信号や制御コマンドを受信して、メインマイコン１０に転送する。
【００２６】
メインマイコン１０は、ＴＶ受像機１の各部を制御する。具体的には例えば、ＭＨＬインタフェース１７を用いてスマートフォン２から受信した映像信号に基づく映像をディスプレイ１４に表示する処理を行う。
【００２７】
スマートフォン２は、図３に示すように、映像を表示する表示部２１と、メニューボタン２２と、ＭＨＬインタフェース２３（第１映像送信手段）と、無線通信部２４（第２映像送信手段）と、メインマイコン２０（操作判定手段、操作実行手段）とを備える。
【００２８】
表示部２１は、操作キーとして機能するタッチパネル２１ａを有する。タッチパネル２１ａは、表示部２１の画面上を覆うように配設され、ユーザによるタッチ操作を検知する。表示部２１には、アプリケーションの実行を指示する実行キー及び各種操作を指示する操作キーに対応する画像（以下、アイコン画像という）が表示される。また、表示部２１には、ユーザによって実行が指示されたアプリケーションの実行画面（実行結果の画面）も表示される。ユーザはアイコン画像をタッチすることにより各種指示を行うことができる。
【００２９】
メニューボタン２２は、ユーザによって操作され、表示部２１にアイコン画像を表示するように指示するためのボタンである。
【００３０】
ＭＨＬインタフェース２３は、ＭＨＬケーブル５０が接続され、ＭＨＬケーブル５０を介して、映像信号、音声信号、及び制御コマンドをＴＶ受像機１に送信する。無線通信部２４は、Ｂｌｕｅｔｏｏｔｈ規格に従って、タッチパッド３と無線信号の送受信を行う。
【００３１】
メインマイコン２０は、スマートフォン２の各部を制御する。具体的には例えば、メインマイコン２０は、ＭＨＬインタフェース２３を用いて、表示部２１に表示する映像の基になる映像信号をＴＶ受像機１に送信する。また、メインマイコン２０は、無線通信部２４を用いて、タッチパッド３から座標情報を受信する。また、メインマイコン２０は、無線通信部２４を用いて、表示部２１に表示する映像（の基になる映像信号）を、タッチパッド３に無線信号で送信する。また、メインマイコン２０は、タッチパッド３から送信された座標情報に基づき、座標情報に対応するタッチパネル２１ａ上の位置をユーザがタッチ操作したと判定し、この判定によってユーザがタッチ操作したと判定されたタッチパネル２１ａ上の位置に対応した操作を実行する。
【００３２】
タッチパッド３は、図４に示すように、映像を表示する表示部（第２表示手段）３１と、無線通信部（無線送信手段）３２と、メインマイコン（映像出力手段）３０とを備える。
【００３３】
表示部３１は、操作キーとして機能するタッチパネル（第２タッチパネル）３１ａを有する。タッチパネル３１ａは、表示部３１の画面上を覆うように配設され、ユーザによるタッチ操作を検知する。表示部３１には、スマートフォン２から送信された映像信号に基づく映像が表示される。なお、表示部３１には、スマートフォン２から送信された映像信号に基づく映像を表示しないように設定することもできる。
【００３４】
無線通信部３２は、Ｂｌｕｅｔｏｏｔｈ規格に従って、スマートフォン２と無線信号の送受信を行う。
【００３５】
メインマイコン３０は、タッチパッド３の各部を制御する。具体的には例えば、メインマイコン３０は、無線通信部３２を用いて、スマートフォン２から送信された映像信号を受信し、受信した映像信号に基づく映像を表示部３１に表示する。また、メインマイコン３０は、ユーザによってタッチパネル３１ａがタッチ操作されたとき、無線通信部３２を用いて、ユーザによるタッチパネル３１ａのタッチ位置の座標情報をスマートフォン２に送信する。
【００３６】
次に、スマートフォン２の表示部２１に表示される映像と、ＴＶ受像機１のディスプレイ１４に表示される映像について、図５を参照して説明する。図５（ａ）は、スマートフォン２の表示部２１に表示される映像を示す。図５（ｂ）は、ＴＶ受像機１のディスプレイ１４に表示される映像を示す。
【００３７】
図５（ａ）に示すように、スマートフォン２の表示部２１には、アイコン画像Ａ１〜Ａ６が表示されている。このとき、スマートフォン２は、この映像の基になる映像信号をＴＶ受像機１に送信する。これにより、図５（ｂ）に示すように、ＴＶ受像機１のディスプレイ１４には、スマートフォン２の表示部２１に表示されたアイコン画像Ａ１〜Ａ６のそれぞれに対応するアイコン画像Ｂ１〜Ｂ６が表示される。すなわち、ＴＶ受像機１のディスプレイ１４には、スマートフォン２の表示部２１の映像と同一の映像が表示される。
【００３８】
次に、遠隔操作システム１００におけるタッチパッド３を用いたスマートフォン２の操作処理について、図６及び図７を参照して説明する。図６は、タッチパッド３を用いたスマートフォン２の操作処理の動作を示すフローチャートである。図７（ａ）は、スマートフォン２の表示部２１を示す。図７（ｂ）は、タッチパッド３の表示部３１を示す。ここでは、タッチパッド３の表示部３１には、映像が表示されていないものとする。
【００３９】
スマートフォン２の表示部２１に、図７（ａ）に示すアイコン画像Ａ１〜Ａ６が表示されているときに、ユーザが、タッチパッド３の表示部３１の位置Ｐ（図７（ｂ）参照）を指Ｆ１でタッチ操作する（Ｓ１）。これにより、タッチパッド３のメインマイコン３０は、無線通信部３２を用いて、ユーザの指Ｆ１によるタッチ位置Ｐの座標情報をスマートフォン２に無線信号で送信する（Ｓ２）。
【００４０】
そして、スマートフォン２のメインマイコン２０は、無線通信部２４を用いて、タッチパッド３から送信された座標情報を受信し（Ｓ３）、タッチパッド３から受信した座標情報に対応するスマートフォン２のタッチパネル２１ａ上の位置をユーザがタッチ操作したと判定する（Ｓ４）。図７（ａ）（ｂ）に示される例では、タッチパッド３のタッチパネル３１ａのユーザの指Ｆ１によるタッチ位置Ｐに対応する、スマートフォン２のタッチパネル２１ａ上の位置には、アイコン画像Ａ１がある。そのため、スマートフォン２のメインマイコン２０は、ユーザがアイコン画像Ａ１をタッチ操作したと判定する。
【００４１】
そして、スマートフォン２のメインマイコン２０は、アイコン画像Ａ１に対応する処理を実行して（Ｓ５）、実行結果の映像を、ＭＨＬインタフェース２３を用いて、ＴＶ受像機１に送信する（Ｓ６）。ここで、アイコン画像Ａ１は「メールアプリケーションの起動」を指示するものであるため、スマートフォン２のメインマイコン２０が、メールアプリケーションの起動処理を実行し（上記Ｓ５に相当）、メールアプリケーションの起動後の映像をＴＶ受像機１に送信する（上記Ｓ６に相当）。
【００４２】
そして、ＴＶ受像機１のメインマイコン１０が、スマートフォン２から受信した映像信号に基づき、メールアプリケーションの映像をディスプレイ１４に表示する（Ｓ７）。
【００４３】
上述したように、本遠隔操作システム１００によれば、ユーザによってタッチパッド３のタッチパネル３１ａがタッチ操作されると、タッチパッド３が、ユーザによるタッチ位置の座標情報をスマートフォン２に無線信号で送信する。スマートフォン２は、タッチパッド３から送信された座標情報に基づき、ユーザがタッチ操作したと判定されたスマートフォン２のタッチパネル２１ａ上の位置に対応した操作を実行し、実行結果の画面の映像を、ＭＨＬケーブル５０を介してＴＶ受像機１に送信する。そのため、ユーザは、スマートフォン２のタッチパネル２１ａ上の所望の位置をタッチ操作したい場合に、該所望の位置に対応するタッチパッド３のタッチパネル３１ａ上の位置をタッチ操作することで、スマートフォン２のタッチパネル２１ａ上の所望の位置を直接タッチ操作した場合と同様の操作をスマートフォン２に実行させることができる。従って、ユーザは、ＴＶ受像機１を視聴する位置が、スマートフォン２から離れている場合でも、スマートフォン２の映像が表示されたＴＶ受像機１を見ながら、タッチパッド３を用いて、スマートフォン２を容易に遠隔操作することができる。
【００４４】
また、スマートフォン２によって実行されたアプリケーションの実行結果の映像が、ＴＶ受像機１のディスプレイ１４に表示されるため、ユーザは、スマートフォン２が所望のアプリケーションの起動を完了したことを、ＴＶ受像機１のディスプレイ１４を通じて容易に確認できる。
【００４５】
次に、タッチパッド３を用いてスマートフォン２を操作する際の変形例について、図８を参照して説明する。図８（ａ）は、スマートフォン２の表示部２１を示す。図８（ｂ）は、タッチパッド３の表示部３１を示す。図８（ａ）に示す表示部２１には、上記図７（ａ）に示したスマートフォン２の映像と同じ映像が表示されているため、その説明は省略する。ここでは、スマートフォン２のメインマイコン２０が、無線通信部２４を用いて、表示部２１に表示する映像の基になる映像信号を、タッチパッド３に送信しているものとする。
【００４６】
タッチパッド３は、スマートフォン２から受信した映像信号に基づく映像を、表示部３１に表示している。すなわち、図８（ｂ）に示すように、タッチパッド３の表示部３１には、スマートフォン２の表示部２１に表示されるアイコン画像Ａ１〜Ａ６に対応するアイコン画像Ｃ１〜Ｃ６が表示されている。そして、ユーザは、アイコン画像Ｃ１〜Ｃ６を見ながら、所望のアイコン画像Ｃ１〜Ｃ６をタッチ操作して、スマートフォン２を操作する。
【００４７】
このように、タッチパッド３の表示部３１に、スマートフォン２の表示部２１に表示される映像と同じ映像を表示するため、ユーザは、タッチパッド３を用いて、スマートフォン２をさらに容易に操作することができる。
【００４８】
なお、本発明は、上記実施形態の構成に限られず、発明の趣旨を変更しない範囲で種々の変形が可能である。例えば、上記実施形態では、請求項に示す映像表示装置がＴＶ受像機である例を示したが、これに限られず、携帯端末から受信した映像を表示可能な映像表示装置であればよい。また、上記実施形態では、請求項に示す携帯端末がスマートフォンである例を示したが、これに限られず、タッチパネルを有し、映像表示装置に映像を送信可能であると共に、操作端末から座標情報を受信可能な携帯端末であればよい。また、上記実施形態では、請求項に示す操作端末がタッチパッドである例を示したが、これに限られず、タッチパネルを有し、携帯端末にタッチ位置の座標情報を送信可能な操作端末であればよい。
【００４９】
また、上記実施形態では、請求項に示す伝送ケーブルがＭＨＬケーブルである例を示したが、これに限られず、映像信号を送信可能なＨＤＭＩケーブル等の伝送ケーブルであってもよい。
【符号の説明】
【００５０】
２  スマートフォン（携帯端末）
３  タッチパッド（操作端末）
２０  メインマイコン（操作判定手段、操作実行手段）
２１  表示部（第１表示手段）
２３  ＭＨＬインタフェース（第１映像送信手段）
２４  無線通信部（第２映像送信手段）
３１  表示部（第２表示手段）
３２  無線通信部（無線送信手段）
５０  ＭＨＬケーブル（伝送ケーブル）
１００  遠隔操作システム
２１ａ  タッチパネル（第１タッチパネル）
３１ａ  タッチパネル（第２タッチパネル）
【図１】
2013153346.tif 000003
【図２】
2013153346.tif 000004
【図３】
2013153346.tif 000005
【図４】
2013153346.tif 000006
【図５】
2013153346.tif 000007
【図６】
2013153346.tif 000008
【図７】
2013153346.tif 000009
【図８】
2013153346.tif 000010